(57)【要約】  フレーミング部材の表面に取り付けられ、かつ標準的な留め具に対応するように構成および配設された、改良された弾性壁板チャネル。本チャネルは、細長い縁部を有する第１のほぼ平面状の表面と、細長い縁部に沿って配置され、かつ第１の表面に対して斜めの角度で突出する傾斜ウェブと、第１の表面の反対側の傾斜ウェブのウェブ縁部が、第２のほぼ平面状の表面と共有されることと、傾斜ウェブよりも短いストップフランジが、傾斜ウェブの反対側の第２の表面のストップフランジ縁部から突出することと、第１の表面およびウェブ縁部が、フレーミング部材の表面から垂直に測定して少なくともインチ離れていることと、を含む。【選択図】図５
2020535332.tif 000002
【特許請求の範囲】
【請求項１】
フレーミング部材の表面に取り付けるために構成および配設された弾性壁板支持チャネルであって、
細長い縁部を有する第１のほぼ平面状の表面と、
前記細長い縁部に沿って配置され、かつ前記第１の表面に対して斜めの角度で突出する傾斜ウェブと、
前記第１の表面の反対側の前記傾斜ウェブのウェブ縁部が、第２のほぼ平面状の表面と共有されることと、
前記傾斜ウェブよりも短いストップフランジが、前記傾斜ウェブの反対側の前記第２の表面のストップフランジ縁部から突出することと、
前記第１の表面および前記ウェブ縁部が、前記フレーミング部材の表面から垂直に測定して少なくとも３／４インチ離れていることと、を含む、弾性壁板支持チャネル。
【請求項２】
前記斜めの角度が鈍角である、請求項１に記載の支持チャネル。
【請求項３】
前記傾斜ウェブには、前記フレーム部材に装架されたときの弾性を高めるために、複数の直線的に離間した切り欠きが設けられている、請求項１に記載の支持チャネル。
【請求項４】
前記傾斜ウェブおよび前記第２の表面の隣接する縁部に位置するウェブ縁部に形成されたアーチ状の支持リブをさらに含む、請求項１に記載の支持チャネル。
【請求項５】
前記第２の表面および前記ストップフランジの隣接する縁部に位置するストップフランジ縁部に形成されたアーチ状の支持リブをさらに含む、請求項１に記載の支持チャネル。
【請求項６】
前記ストップフランジが、前記傾斜ウェブと同様の角度で前記第２の表面から突出する、請求項１に記載の支持チャネル。
【請求項７】
前記第１の表面の自由縁部が強度のために折り重ねられている、請求項１に記載の支持チャネル。
【請求項８】
フレーミング部材の表面に取り付けるために構成および配設された弾性壁板支持チャネルであって、
細長い縁部、および折り重ねられた反対側の自由縁部を有する第１のほぼ平面状の表面と、
前記細長い縁部に沿って配置され、かつ前記第１の表面に対して斜めの角度で突出する傾斜ウェブであって、前記フレーム部材に装架されたときの弾性を高めるために、複数の直線的に離間した切り欠きが設けられている、傾斜ウェブと、
前記第１の表面の反対側の前記傾斜ウェブのウェブ縁部が、第２のほぼ平面状の表面と共有されることと、
前記傾斜ウェブおよび前記第２の表面の隣接する縁部の間に形成されたアーチ状の支持リブと、
前記傾斜ウェブよりも短いストップフランジが、前記傾斜ウェブの反対側の前記第２の表面のストップフランジ縁部から突出し、アーチ状の支持リブが、前記第２の表面および前記ストップフランジの隣接する縁部の間に形成され、前記ストップフランジが、前記傾斜ウェブと同様の角度で前記第２の表面から突出することと、を含み、
前記第１の表面および前記ウェブ縁部が、前記フレーミング部材の表面から垂直に測定して少なくとも３／４インチ離れている、弾性壁板支持チャネル。
【発明の詳細な説明】
【背景技術】
【０００１】
本発明は、壁および天井構造技術に関し、より具体的には、そのような構造における音を減衰させ、火災の進行を遅らせるための弾性ランナチャネルの使用に関する。
【０００２】
従来の住宅およびオフィスの構造では、垂直方向に配置され、かつ同様に形成されたヘッダおよびフッタに離間して平行に配向されて連結されたフレーミング、典型的には、木材または金属スタッドの組み立てを含む。フレーミングには、床または天井根太も含み、これらは多くの場合、サブフロアパネルを間に挟んで、上記のヘッダとフッタが連結される。次に、通常は前面および背面に紙などを貼った石膏組成物で作られた壁板パネルをフレームに固定して、壁、および多くの場合は天井も形成する。壁板ジョイント化合物およびジョイントテープは、当技術分野でよく知られているように、隣接する壁板パネル間のジョイントを充填し、かつ滑らかにするために使用される。このような構造技術は、一戸建て住宅に適しているが、アパート、寮、小さなホテル、兵舎などの多世帯住宅の場合、上記のような伝統的な部屋の構造は、部屋間で音をすぐに伝達する傾向がある。
【０００３】
横方向に隣接する部屋間、および垂直方向に積み重ねられた部屋間での不要な音伝達の問題に対処するために、参照により組み込まれる共通譲渡の米国特許第３，０９０，１６４号に記載されているように、弾性チャネルが開発された。このような弾性チャネルは、時間が経つにつれてＲＣ−１チャネルとして業界で知られるようになり、ほぼ平行で横方向に変位した一対の平面状表面を有する。いくつかの長さのＲＣ−１チャネルは、フレーミング、好ましくは、スタッドまたは根太に、離間して平行な水平方向に装架される。第１のそのような表面はベースと呼ばれ、釘、ねじ付き留め具などによってフレーミング部材に固定される。角度の付いたフランジは、第１の表面および第２の表面を連結し、ベースから第２の表面を横方向に変位させる。壁板パネルは、ベースとは反対側の端部でフレーミング部材に取り付けられていない第２の表面に固定される。したがって、壁板パネルは、ＲＣ−１チャネルによってフレーミング部材から離れたところで吊り下げられた状態で保持される。
【０００４】
壁板パネルをフレーミングから分離することにより、通常パネルを介してフレーミングに直接伝達され、建物全体に分散されるパネルに影響を与える音響エネルギーは、壁板パネルに影響を与えて減衰し、その伝達経路はＲＣ−１チャネルによって中断される。ＲＣ−１チャネルの別の利点は、火炎および熱がフレームを介して建物の他の部分に直接伝達されないため、火が壁板パネルに衝突すると、チャネルで建てられた部屋の火災の進行が妨げられることである。
【０００５】
ＲＣ−１チャネルを使用するための建築基準法ならびにＵｎｄｅｒｗｒｉｔｅｒ’ｓ  Ｌａｂｏｒａｔｏｒｉｅｓ（ＵＬ）規格では、典型的には従来の壁板ネジなどの１インチの長さの留め具の使用を必要とする。しかし、実際には、アプリケータは、そのような留め具を使用して壁板パネルを通過し、設計により移動可能なＲＣ−１チャネルの柔軟な第２の表面と交差する際に邪魔になってくる。場合によっては、留め具の先端がセルフタッピングであるという事実にもかかわらず、留め具の先端が確実な接触点に位置するのが困難になる。１インチの留め具の使用を削減する別の要因は、これが従来の建築現場で使用する一般的なサイズではないことである。代わりに、より一般的なサイズは１  １／４インチの留め具である。また、アプリケータがＲＣ−１チャネルに壁板パネルを据え付ける際に長い留め具を使用すると、留め具がＲＣ−１チャネルの第２の表面を通って延在し、スタッドや根太などの下にあるフレーム部材に接触し、したがって、壁または天井を通る音響伝達経路を形成し、ＲＣ−１チンネルの音響効果を大幅に低減することも分かった。同様に、より長い留め具は、壁板パネルからフレーミング部材またはフレーム部材への伝達経路も作成するため、火事の場合、フレーミングを通る熱と火炎の進行が加速される。
【０００６】
過度に長い留め具を使用する据付者の問題に対する１つの試みられた解決策は、参照により組み込まれる共通に譲渡されたＵＳ２００９／０１７３０２９に開示されたタイプの音響アイソレータクリップを採用することである。その参照では、アイソレータクリップは、ＲＣ−１チャネルをフレーミング部材から離間させる厚さを有するため、より長い留め具がフレーム部材に届かないようになっている。ただし、このようなアイソレータクリップの使用には商業的な障害がある。
【０００７】
したがって、所望の音響減衰特性を維持しながら、より長い留め具に対応できる改良されたＲＣ−１チャネルが必要である。
【発明の概要】
【０００８】
上記の必要性は、標準的な留め具に対応するように構成および配設された現在の弾性壁板装架チャネルによって満たされるか、または超えられ、本出願は、１  １／４インチの長さの壁板留め具、好ましくは、ねじまたは釘を指すことが理解されよう。当技術分野で知られているように、ＲＣ−１チャネルは通常、釘を使用してフレーミングに固定されるが、ねじを使用して壁板パネルをＲＣ−１チャネルに取り付けるのが通例である。用途に応じて、他の留め具も考えられる。本ＲＣ−１チャネルは、ほぼ平面状である第１の表面またはベースを含み、および好ましくは、直線状に離間した装架開口が供給される。ベースの一方の縁部に沿って、傾斜ウェブまたはフランジが斜めの角度で突出する。ベースの反対側のフランジの縁部は、壁板パネルが装架される第２のほぼ平面状の表面または支持要素と共有される。傾斜ウェブよりも短いストップフランジは、傾斜ウェブの反対側の第２の表面のウェブ縁部から突出し、かつ第２の表面に対して鈍角で突出する。本チャネルの特徴は、ベースとウェブ縁部との間の距離が少なくとも３／４インチであるため、１／２または５／８インチの壁板パネルを通り、ＲＣ−１チャネルを通る１  １／４インチの留め具は、下にあるフレーミング部材には接触しないことである。
【０００９】
さらに、本ＲＣ−１チャネルは、傾斜ウェブを支持面に接合する支持リブおよび支持面をストップフランジに接合する支持リブを含み、支持リブは、チャネルに構造的強度を提供し、また、留め具とフレーミング部材との間の距離をわずかに増加させる。また、傾斜ウェブには、フレーミング部材に装架されたときの弾性を高めるために、少なくとも１つ、および好ましくは複数の直線的に離間した切り欠きが設けられている。切り欠きの形状と配設は、用途に応じて異なる場合がある。
【００１０】
より具体的には、本発明は、フレーミング部材の表面に取り付けられ、標準的な留め具に対応するように構成および配設された、改良された弾性壁板チャネルを提供する。本チャネルは、細長い縁部を有する第１のほぼ平面状の表面と、細長い縁部に沿って配置され、かつ第１の表面に対して斜めの角度で突出する傾斜ウェブと、第１の表面の反対側の傾斜ウェブのウェブ縁部が、第２のほぼ平面状の表面と共有されることと、傾斜ウェブよりも短いストップフランジが、傾斜ウェブの反対側の第２の表面のストップフランジ縁部から突出することと、第１の表面およびウェブ縁部が、フレーミング部材の表面から垂直に測定して少なくとも３／４インチ離れていることと、を含む。
【００１１】
別の実施形態では、フレーミング部材の表面に取り付けるために構成および配設される弾性壁板支持チャネルが提供される。チャネルは、細長い縁部と、折り重ねられた反対側の自由縁部とを有する第１のほぼ平面状の表面を含む。傾斜ウェブは、細長い縁部に沿って配置され、かつ第１の表面に対して斜めの角度で突出し、傾斜ウェブには、フレーム部材に装架されたときの弾性を高めるために、複数の直線的に離間した切り欠きが設けられる。第１の表面の反対側の傾斜ウェブのウェブ縁部は、第２のほぼ平面状の表面と共有される。傾斜ウェブおよび第２の表面の隣接する縁部の間にアーチ状の支持リブが形成される。傾斜ウェブよりも短いストップフランジは、傾斜ウェブの反対側の第２の表面のストップフランジ縁部から突出し、アーチ状の支持リブは、第２の表面およびストップフランジの隣接する縁部の間に形成される。また、ストップフランジは、傾斜ウェブと同様の角度で第２の表面から突出する。第１の表面およびウェブ縁部の表面は、フレーミング部材の表面から垂直に測定して少なくとも３／４インチ離れている。
【００１２】
好ましい実施形態では、斜めの角度は鈍角である。
【図面の簡単な説明】
【００１３】
【図１】従来技術のＲＣ−１チャネルを採用している建設中の室内の斜視図である。
【図２】本ＲＣ−１チャネルの正面斜視図である。
【図３】本ＲＣ−１チャネルの代替実施形態の正面斜視図である。
【図４】本ＲＣ−１チャネルの端面図である。
【図５】フレーム部材に据え付けられている本ＲＣ−１チャネルおよび、ＲＣ−１チャネルに取り付けられた壁板パネルの部分斜視図である。
【発明を実施するための形態】
【００１４】
ここで図１を参照すると、全体的に１０で示す部屋の一部が示し、少なくとも１つのフッタまたはベース１８、少なくとも１つのヘッダまたは上部支持部材２０を含むフレーム１６によってそれぞれ支持される一対の壁１２および１４、およびヘッダをフッタに接合する複数の垂直部材またはスタッド２２を含む。当技術分野でよく知られているように、スタッド２２は、中心で１６インチなどの規則的な間隔、または現地の建築基準法に応じた他の間隔で配置される。また、フレーム１６は典型的には木製の部材、好ましくは２×４の厚板で作られるが、他のサイズの木材、ならびに鋼などで作られた金属部材、ならびに他の材料を採用する代替構造技術も考えられる。天井根太２４は、ヘッダ２０に固定され、建物の所望の高さに応じて、屋根または上階を支持するために使用される。当技術分野で知られているように、フレーム１６は、釘またはねじなどの留め具を使用して組み立てられる。フッタ１８、ヘッダ２０、スタッド２２、ならびに根太２４は、集合的にフレーム部材またはフレーミング部材と呼ばれる。
【００１５】
部屋間での音の伝達を抑えることを目的とする用途では、ＲＣ−１チャネルまたはランナ２６を、適切な留め具（図示せず）を使用してスタッド２２または他のフレーミング部材に直接、離間した平行な配向で据え付けるのが一般的であり、そのため、チャネル２６は、フレーミング部材に対して横方向に延在している。次いで、石膏壁板などで作られた壁板パネル２８は、ねじ、釘または化学接着剤などの従来の留め具を使用してＲＣ−１チャネルに固定される。したがって、壁板パネル２８は、ＲＣ−１チャネル２６によってフレーム１６から離間して保持され、パネルからフレームへの音響伝達の経路を遮断し、したがって、部屋から部屋への騒音伝達を低減する。
【００１６】
本開示によって対処される問題は、Ｕｎｄｅｒｗｒｉｔｅｒｓ’  Ｌａｂｏｒａｔｏｒｉｅｓ（ＵＬ）規格、ならびに多くの現地の建築基準法が、パネル２８をフレーム１６に据え付けるために１インチの長さの留め具を使用することを指定していることである。ただし、１インチの留め具は建築現場では一般的な在庫品目ではないため、多くの据付者は、このような留め具はパネル２８をフレーム１６に確実に取り付けるのには適さないと考えており、据付者は、典型的には、壁板パネル２８をＲＣ−１チャネルに据え付ける際に１  １／４インチのねじを使用する。残念なことに、１  １／４インチの留め具は、壁板パネル２８、ＲＣ−１チャネル２６を通過してフレーム１６に到達するのに十分な長さであり、したがって、壁板パネルをフレームに音響的に連結し、チャネル２６の減音性を大幅に低減または無効にする。
【００１７】
ここで図２〜図５を参照すると、この問題に対処するために、改良されたＲＣ−１チャネルが提供され、全体的に４０に示す。本チャネル４０の主な特徴は、壁板パネル２８とフレーム１６との間に十分な間隔を作るように構成および配設されているため、据付者が１  １／４インチの留め具を使用してチャネルを据え付けても、それらがフレームに到達しないことであり、したがって、部屋１０から伝達される音の低減を強化するための間隔を維持する。
【００１８】
本ＲＣ−１チャネル４０には、細長い縁部４４と、反対側の自由縁部４６と、を有する第１のほぼ平面状の表面４２が含まれる。傾斜ウェブまたは壁４８は、細長い縁部４４に沿って配置され、第１の表面４２に対して斜めの角度αで突出している。好ましい実施形態では、角度αは鈍角であり、角度αは約１１０〜１１５°であることがさらに好ましい。第１の表面４２の反対側の傾斜ウェブ４８のウェブ縁部５０は、第２のほぼ平面状の表面５２の相補的な縁部と共有される。傾斜ウェブ４８の重要な特徴は、壁板パネル２８（図５）に接触するウェブ縁部５０を、フレーム１６の表面５４、好ましくはスタッド２２または他のフレーミング部材から垂直に少なくとも３／４インチの距離「Ｄ」だけフレーム１６から分離するような寸法になっていることであり、そのため、比較的長い１  １／４インチの留め具５６を使用して壁板パネル２８をＲＣ−１チャネルに固定しても、図５に示すように、フレームに接触しない。言い換えると、留め具５６の先端は、スタッド２２またはフレーム１６の他のフレーミング部材などのそれぞれの部材に到達しない。この方法で、ＲＣ−１チャネルを据え付ける際の重要な要素として上記で論じた音響分離は、より長い留め具を使用してシステムを据え付けるときに保持される。
【００１９】
ストップフランジ縁部５８は、第２の平面状表面５２上に位置し、ウェブ縁部５０とほぼ水平に整列している。また、ストップフランジ縁部５８は、ストップフランジ６０および第２の平面状表面５２の隣接するまたは相補的な縁部の交点に位置され、傾斜ウェブ４８よりも短いストップフランジを突出させるベースを形成し、傾斜ウェブ５０の反対側の第２の表面５２から突出する。
【００２０】
ここで図２〜図４を参照すると、支持チャネル４０は、当技術分野でよく知られているように、好ましくは、亜鉛メッキまたは腐食保護された鋼のストリップから構造全体をロールフォーミングおよびスタンピングすることにより、好ましくは製造され、次いで、図示するような形状に形成される。製造加工中、傾斜ウェブ４８には、好ましくは、垂直フレーム部材２２に装架されたときの弾性を高めるために、複数の直線的に離間した切り欠き６２が設けられる。図２および図３に示すように、切り欠き６２の形状は、用途に合わせて変えることができるが、円形、楕円形、卵形、細長いスロットなどであると考えられる。さらに、好ましくはウェブ縁部５０ならびにストップフランジ縁部５６にアーチ状の支持リブ６４を形成することにより、チャネル４０の構造的剛性が高められるが、用途に応じてより少ないリブが考えられる。
【００２１】
図４に示すように、ストップフランジ５８は、第２の平面状表面と傾斜ウェブ４８との間に規定される角度に類似した角度βで第２の平面状表面５２から突出する。好ましい実施形態では、角度βは約９０〜１１０°であるが、変化が考えられる。支持チャネル４０の強度をさらに高めるために、自由縁部４６はそれ自体の上に折り重ねられる。また、図２、図３および図５に最もよく示すように、第１の平面状表面４２には、好ましくは、ＲＣ−１チャネル４０をフレーム１６に固定するために使用される直線的に離間した装架開口６６が設けられる。ストップフランジ６０は、ストップフランジ縁部５８から少なくとも１／２インチ、図４の距離「Ｅ」だけ延在し、留め具がチャネルをより容易に貫通することができるように、フレーム部材に対するチャネル４０の曲がりを防止することも好ましい。しかし、用途に応じて他の寸法も考えられる。
【００２２】
本明細書では、標準的な留め具に対応する本発明の弾性壁板チャネルの特定の実施形態について説明したが、本発明から逸脱することなく、その広範な態様において、および以下の請求項の範囲に記載するように、変更および修正を加えることができることが当業者に理解されよう。
【図１】
2020535332.tif 000003
【図２】
2020535332.tif 000004
【図３】
2020535332.tif 000005
【図４】
2020535332.tif 000006
【図５】
2020535332.tif 000007
【国際調査報告】
2020535332.tif 000008
2020535332.tif 000009
2020535332.tif 000010